(57)【特許請求の範囲】
【請求項１】
上端部に吸排気機構を装備すると共に下端部に水槽を備え且つ塗装領域に対向する前面板の下方に外気吸入口を備えたブース本体を有し、このブース本体の前記外気吸入口の前記前面板部分に、外気と共に内部に向けて吸い上げられる水槽内の水を水滴化するための水滴形成板を装備し、前記外気吸入口の内側に、前記水滴形成板によって形成される水滴に噴霧塗料を付着させる領域を備えた渦巻室を設け、この渦巻室で噴霧塗料が付着された水滴が前記吸排気機構に吸引されて上方へ移動する吸引移動力を利用して当該水滴を噴霧塗料と共に回収する塗料ミスト回収機構を前記ブース本体が備えてなる吹き付け塗装用ブース装置において、
前記渦巻室が、前記外気吸入口から吸入される外気および水槽内の水が上方に吸引移動されるのを案内する凹状ガイド板を有すると共に、この凹状ガイド板の上方に当該凹状ガイド板を覆う方向に向けて前記前面板側から突設された仕切り板を有し、
前記水滴形成板の下端部の端縁部分に、一方の端から他方の端に向けて水滴形成促進用の凹凸部を設けると共に、この凹凸部の各凸部を交互に逆方向に曲折したことを特徴とする吹き付け塗装用ブース装置。
【請求項２】
上端部に吸排気機構を装備すると共に下端部に水槽を備え且つ塗装領域に対向する前面板の下方に外気吸入口を備えたブース本体を有し、このブース本体の前記外気吸入口の前記前面板部分に、外気と共に内部に向けて吸い上げられる水槽内の水を水滴化するための水滴形成板を装備し、前記外気吸入口の内側に、前記水滴形成板によって形成される水滴に噴霧塗料を付着させる領域を備えた渦巻室を設け、この渦巻室で噴霧塗料が付着された水滴が前記吸排気機構に吸引されて上方へ移動する吸引移動力を利用して当該水滴を噴霧塗料と共に回収する塗料ミスト回収機構を前記ブース本体が備えてなる吹き付け塗装用ブース装置において、
前記渦巻室が、前記外気吸入口から吸入される外気および水槽内の水が上方に吸引移動されるのを案内する凹状ガイド板を有すると共に、この凹状ガイド板の上方に当該凹状ガイド板を覆う方向に向けて前記前面板側から突設された仕切り板を有し、
前記凹状ガイド板の上端部の端縁部分および前記仕切り板の前記突出側の端縁部分に、一方の端から他方の端に向けて水滴形成促進用の凹凸部を設けると共に、この凹凸部の各凸部を少なくとも一つ置きに、吸入外気流の下流側に向けて曲折したことを特徴とする吹き付け塗装用ブース装置。
【請求項３】
上端部に吸排気機構を装備すると共に下端部に水槽を備え且つ塗装領域に対向する前面板の下方に外気吸入口を備えたブース本体を有し、このブース本体の前記外気吸入口の前記前面板部分に、外気と共に内部に向けて吸い上げられる水槽内の水を水滴化するための水滴形成板を装備し、前記外気吸入口の内側に、前記水滴形成板によって形成される水滴に噴霧塗料を付着させる領域を備えた渦巻室を設け、この渦巻室で噴霧塗料が付着された水滴が前記吸排気機構に吸引されて上方へ移動する吸引移動力を利用して当該水滴を噴霧塗料と共に回収する塗料ミスト回収機構を前記ブース本体が備えてなる吹き付け塗装用ブース装置において、
前記渦巻室が、前記外気吸入口から吸入される外気および水槽内の水が上方に吸引移動されるのを案内する凹状ガイド板を有すると共に、この凹状ガイド板の上方に当該凹状ガイド板を覆う方向に向けて前記前面板側から突設された仕切り板を有し、
前記水滴形成板の下端部端縁部分に、一方の端から他方の端に向けて水滴形成促進用の凹凸部を設けると共に、この凹凸部と同等に形成された第２の凹凸部を備えた凹凸部付プレートを前記水滴形成板の下端部に併設し、この各凹凸部の内の吸入外気流の下流側に位置する凹凸部を当該吸入外気流の下流側に向けて一様に曲折したことを特徴とする吹き付け塗装用ブース装置。
【請求項４】
上端部に吸排気機構を装備すると共に下端部に水槽を備え且つ塗装領域に対向する前面板の下方に外気吸入口を備えたブース本体を有し、このブース本体の前記外気吸入口の前記前面板部分に、外気と共に内部に向けて吸い上げられる水槽内の水を水滴化するための水滴形成板を装備し、前記外気吸入口の内側に、前記水滴形成板によって形成される水滴に噴霧塗料を付着させる領域を備えた渦巻室を設け、この渦巻室で噴霧塗料が付着された水滴が前記吸排気機構に吸引されて上方へ移動する吸引移動力を利用して当該水滴を噴霧塗料と共に回収する塗料ミスト回収機構を前記ブース本体が備えてなる吹き付け塗装用ブース装置において、
前記渦巻室が、前記外気吸入口から吸入される外気および水槽内の水が上方に吸引移動されるのを案内する凹状ガイド板を有すると共に、この凹状ガイド板の上方に当該凹状ガイド板を覆う方向に向けて前記前面板側から突設された仕切り板を有し、
前記凹状ガイド板の上端部の端縁部分および前記仕切り板の前記突出側の端縁部分に、一方の端から他方の端に向けて水滴形成促進用の凹凸部を設けると共に、前記各凹凸部と同等に形成された第２の凹凸部を備えた凹凸部付プレートを、前記凹状ガイド板の上端部の端部および前記仕切り板の前記突出側の端部にそれぞれ併設し、
前記各凹凸部の内の吸入外気流の下流側に位置する凹凸部を当該吸入外気流の下流側に向けて一様に曲折したことを特徴とする吹き付け塗装用ブース装置。
【請求項５】
前記請求項３又は４記載の吹き付け塗装用ブース装置において、
前記各凹凸部の内の吸入外気流の上流側に位置する凹凸部を、当該吸入外気流の上流側に向けて一様に曲折したことを特徴とする吹き付け塗装用ブース装置。
【発明の詳細な説明】
【技術分野】
【０００１】
本発明は、吹き付け塗装用ブース装置に係り、特に、吹き付け塗装時に空中に放散される不要の噴霧塗料を外気と共に吸入し水滴に付着させて回収するようにした渦流式の吹き付け塗装用ブース装置に関する。
【背景技術】
【０００２】
従来例を図１９に示す（非特許文献１）。
この図１９に示す従来例は渦流式の塗装用ブースであって、符号５００は箱型状のブース本体を示す。このブース本体５００は、吹き付け塗装時に被塗装物の周囲を通過して空中に放出される噴霧塗料（霧状の塗料ミスト）を回収する手段を、内部に装備している。又、この箱型状のブース本体５００は、上端部に当該ブース本体５００内の気体を下方から吸入し外部へ排出する吸排気機構５０１を装備し、下端部に水槽５０２を備えている。  ここで、吸排気機構５０１は、工業用の換気扇５０１Ａと、この換気扇５０１Ａを駆動する駆動モータ５０１Ｂとを備えている。
【０００３】
ブース本体５００は、その被塗装物に対向して位置する前面板５００Ａの下部に、前述した水槽５０２内の水と噴霧塗料とを同時に吸入する外気吸入口５０３を備えている。
そして、この外気吸入口５０３には、この外気吸入口５０３を塞ぐようにして外気および水の流動が容易な金網等の積層構造からなる水滴形成部材５０４が前述した水槽５０２内の底面との間に配設されている。
【０００４】
このため、ここを通過しつつブース本体５００内に吸入される水は、その一部がこの水滴形成部材５０４によって粒子状に粉砕された状態となり、噴霧塗料を含む空気と水とが混在した形で吸入される。
更に、この外気吸入口５０３で強制的に吸入されその一部が水滴化した水および噴霧塗料は、凹状ガイド板５０５によって上方に向けて案内される。
【０００５】
外気吸入口５０３の上方に位置する前面板５００Ａ部分には、前述した凹状ガイド板５０５の上方を覆う方向に向けて、仕切り板５０６がほぼ水平に突設されている。これによって、凹状ガイド板５０５に案内された水滴及び噴霧塗料は、その一部がこの仕切り板５０６に遮られて下方に向けられ、これが連続して行われることから、この水滴形成部材５０４と凹状ガイド板５０５とで囲まれた空間（渦巻室５０７）内で空気の渦巻きが生じ、この中で、水滴への噴霧塗料の付着が促進される。
即ち、渦巻室５０７は、ブース本体５００の両側壁板５００Ｂ，５００Ｃと、水滴形成部材５０４と、凹状ガイド板５０５と、仕切り板５０６とによって構成されている。
【０００６】
図１９における仕切り板５０６の先端部と凹状ガイド板５０５の上端縁との間に、上方に向けて水滴を送出するための上方開口部５０７Ａが設定されている。このため、上方に装備された吸排気機構５０１に吸引されて、前述した渦巻室５０７内で噴霧塗料が付着された水滴が上方開口部５０７Ａから連続的に送出される。
【０００７】
更に、この仕切り板５０６の上方には、噴霧塗料を水滴と共に回収する手段としての塗料ミスト回収機構５０８が装備されている。この塗料ミスト回収機構５０８は、所定間隔を隔てて斜め横に仕切って配置された三枚の横仕切り板５１１，５１２，５１３によって構成されている。
この内、第１の横仕切り板５１１は、ブース本体５００内でその前面板５００Ａ側から前述した渦巻室５０７の上方開口部５０７Ａに向けて突設され、その先端部が上方開口部５０７Ａに対向した状態に配設されている。
【０００８】
この第１の横仕切り板５１１の上方に、当該第１の横仕切り板５１１に対して所定距離を隔てて第２の横仕切り板５１２が装備されている。この第２の横仕切り板５１２は、ブース本体５００の後面板５００Ｄ側から前述した第１の横仕切り板５１１の先端部を覆うようにして前述した前面板５００Ａに向けて斜め上方に突設されている。
更に、この第２の横仕切り板５１２の上方には、当該第２の横仕切り板５１２に対して所定の間隔を隔てて第３の横仕切り板５１３が装備されている。この第３の横仕切り板５１３は、ブース本体５００の前面板５００Ａ側から前述した第２の横仕切り板５１２の先端部を覆うようにして前述した後面板５００Ｂに向けて斜め上方に突設されている。
【０００９】
これら第１乃至第３の各横仕切り板５１１〜５１３の相互間には上述したようにその先端部と後面板又は前面板との間にそれぞれ通気路が設けられており、これがため、前述した吸排気機構５０１は、渦巻室５０７内から水滴を、同時に吸入された他の空気と共に上方開口部５０７Ａから連続して上方向に向けて吸引し易い構成となっている。
【００１０】
そして、渦巻室５０７内の上方開口部５０７Ａから送り出される噴霧塗料（塗装ミスト）が付された水滴は、その慣性より、その多くが進行方向に対向して位置する各横仕切り板５１１〜５１３や後面板５００Ｄ又は前面板５００Ａの該当箇所に順次衝突して噴霧塗料と共に付着し、それが連続してなされることから付着した水滴が大きい水滴に成長し、やがて下方の水槽内に噴霧塗料と共に滴下する。
【００１１】
即ち、塗料ミスト回収機構５０８では、噴霧塗料が付着した水滴を連続的に受け止めて大きい水滴に成長させ、これによって噴霧塗料を下方の水槽内に有効に回収し得るようになっている。
噴霧塗料が水滴によって有効に除去された後、これを搬送してきた空気は吸排気機構５０１に吸引されて外部へ排出される。又、この間に空気と共に水滴の一部も外部へ排出され、これがため水槽内の水が徐々に減少するが、かかる場合は図示しない水補給手段によって外部から補給されるようになっている。
【００１２】
【非特許文献１】株式会社日本理工出版会発行「早わかり塗料と塗装技術：第３４〜３５頁）」（著者：長谷川謙三）
【発明の開示】
【発明が解決しようとする課題】
【００１３】
上記従来例にあっては、連続運転に際しては金網等の積層構造からなる水滴形成部材５０４に塗装ミストが付着して経時的に外気の吸入量が減少し、この外気吸入量の減少と共に水槽内の水の吸い上げ量も減少するという不都合が生じている。この結果、上記従来例では、噴霧塗料の回収に必要な水の水滴化の能力が不十分となり、これがため、外気と共にダクト内に吸入された噴霧塗料がそのままダクト内を通過し吸排気機構５０１から外部へ放出されるという不都合がしばしば生じていた。
又、噴霧塗料が付着するための水滴が少ないと、ブース本体に吸引された噴霧塗料はそのままダクト内を通過し吸排気機構５０１を通過して外部へ放出され、公害問題を引き起こすばかりでなく、噴霧塗料の一部が吸排気機構５０１の工業用換気扇５０１Ａに付着して当該工業用換気扇５０１Ａの羽根の重量が増加し、これがため換気扇駆動用のモータ５０１Ｂに負荷が増して当該モータ５０１Ｂの耐久性に難点が生じるという不都合があった。又、上記従来例では、噴霧塗料の一部が換気扇５０１Ａに付着した噴霧塗料の一部がはげ落ちると、換気扇５０１Ａの振動が激しくなって騒音公害を発生させるばかりでなく、当該換気扇５０１Ａの耐久性が著しく損なわれるという不都合があった。
【００１４】
そこで、本発明では、かかる従来例の有する不都合を改善し、外気および水の吸入量の経時的な減少を排除し、必要とする充分な水滴を常に発生して、外気と共に吸入した噴霧塗料を水槽内に有効に回収することを可能とした吹き付け塗装用ブース装置を提供することを、その目的とする。
【課題を解決するための手段】
【００１５】
本発明にかかる吹き付け塗装用ブース装置は、上端部に吸排気機構を装備すると共に下端部に水槽を備え且つ塗装領域に対向する前面板の下方に外気吸入口を備えたブース本体を有する。このブース本体の前述した外気吸入口の前面板部分に、外気と共に内部に向けて吸引移動される水槽内の水を水滴化するための水滴形成板を装備している。この外気吸入口の内側には、水滴形成板によって形成される水滴に噴霧塗料を付着させる領域としての渦巻室を備えている。そして、この渦巻室で噴霧塗料が付着された水滴が前述した吸排気機構に吸引されて上方へ移動する吸引移動力を利用して当該水滴を噴霧塗料と共に回収する塗料ミスト回収機構が前述した吸排気機構側（ブース本体の中央部）に装備されている。
【００１６】
ここで、前述した渦巻室は、外気吸入口から吸入される外気および水槽内の水が上方に吸引移動されるのを案内する凹状ガイド板を備えている。又、この凹状ガイド板の上方に当該凹状ガイド板を覆う方向に向けて前述した前面板側から突設された仕切り板を備えている。
更に、前述した水滴形成板の下端部端縁部分には、一方の端から他方の端に向けて水滴形成促進用の凹凸部を連続的に設けると共に、この凹凸部の各凸部を交互に逆方向に曲折した（請求項１）。
【００１７】
このため、本発明では、まず、渦巻室内では、水滴形成板に一部粉砕されつつ吸い込まれた水が凹状ガイド板によって円弧状に上方へ案内され、前面板側の水滴形成板および上方の仕切り板に衝突してその一部が水滴化され、残りが水滴形成板に沿って落下する。この水滴形成板から落下した水滴は同時に連続して吸入されて来る外気に加速されて再び凹状ガイド板に沿って上方へ吸い上げられる。以下渦巻室内ではかかる状態が渦を巻いて繰り返される。即ち、水滴および噴霧塗料を含んだ吸入外気の渦巻が発生する。そして、この間、水滴は微細粒子化され同時に外気と共に吸引された噴霧塗料が当該微細粒子化された水滴に付着し、一部は順次上方に排出される。
【００１８】
ここで、前述した渦巻室内で噴霧塗料が付着された水滴は上方に配置された吸排気機構に付勢され渦巻室内の上方開口部から吸い出されて上方へ吸い上げられる。この吸排気機構の吸引力を利用して、前述した水滴を噴霧塗料と共に回収する塗料ミスト回収機構が、ブース本体の中央部に装備されている。この場合、塗料ミスト回収機構では、水滴を順次連続的に板状部材（網状又は複数の棒状部材を敷つめたものでもよい）に衝突させ、これによって大きい水滴を形成し、これを水槽内に滴下させることによって当該水滴と共に噴霧塗料（塗料ミスト）を回収する構造とした。
【００１９】
更に、前述したように、水滴形成板の下端部端縁部分の凹凸部の各凸部を少なくとも一つ置きに吸入外気の下流側に向けて曲折したので、渦巻室内で水滴形成板に沿って下降する水滴に対してその先端部の複数の凹凸が二列に分かれた状態となり、予め複数に分散された状態で、吸入外気に対して滴下水滴を同時に前後方向に分散してのせることができ、このため、水滴化をより一層促進することができる。又、先端部を山形状凹凸部とすると、水滴が先端部に止まる時間が少なくなり、かかる点において水滴化を促進させることができ、更に、各凸部が少なくとも一つ置きに吸入外気の下流側に向けて曲折されていることにより、この領域を外気が高速で通過すると当該外気は攪拌され負圧のムラおよび変動が生じ、これがため水滴が微細化するには都合のよい環境が局部的に形成され、同時にこの領域内に外気と共に噴霧塗料が巻き込まれることから、当該噴霧塗料はより一層水滴に付着し易くなり、当該噴霧塗料の回収能率の向上（環境汚染の有効な抑制）を期待することができる。
【００２０】
更に、上述した水滴形成板の凹凸部については、その各凸部を交互に逆方向に曲折したので、この水滴形成板の外気吸入口部分の各凹凸部において乱流が更に増して水滴の水滴化がより一層促進されることから、噴霧塗料が水滴に付着して回収される量が更に多くなるという利点がある。
【００２１】
又、前述した凹状ガイド板の上端部および仕切り板の突出側の端部の各々の端縁部分に、一方の端から他方の端に向けて水滴形成促進用の凹凸部を設けると共に、この各凹凸部につても前述した水滴形成板の場合と同様に、各凸部を少なくとも一つ置きに吸入外気の下流側に向けて曲折してもよい（請求項２）。
このようにすると、凹状ガイド板および仕切り板の突出側から上方に向かって吸い上げられる水滴又は水塊についても、その微細化が更に促進され、渦巻室を出た後も、水滴に対する噴霧塗料の付着が促進され、かかる点において、噴霧塗料に対する水による付着回収の領域を多くすることが出来て都合がよい。
【００２２】
（削除）
【００２３】
又、前述した水滴形成板の凹凸部の形成については、下記のようにしても良い。即ち、前述した水滴形成板の下端部端縁部分に、一方の端から他方の端に向けて水滴形成促進用の凹凸部を連続的に設ける。この凹凸部と同等に形成された凹凸部（第２の凹凸部）を備えた凹凸部付プレートを前述した水滴形成板の下端部に併設する。そして、この各凹凸部の内の吸入外気流の下流側に位置する凹凸部を当該吸入外気流の下流側に向けて一様に曲折するように構成してもよい（請求項３）。この場合、各凹凸部の内の吸入外気流の上流側に位置する凹凸部を当該吸入外気流の上流側に向けて一様に曲折してもよい（請求項５）。
このようにすると、外気吸入口領域における水滴形成板の凹凸部の数が約二倍に増加するので（しかも二列となって）、この部分での乱流の発生を大幅に増加させることができ、かかる点において水滴の発生も増加し、これにより噴霧塗料が水滴に付着して回収される量が多くなるという利点がある。
【００２４】
更に、前述した凹状ガイド板および仕切り板の凹凸部の形成については、下記のようにしても良い。即ち、凹状ガイド板の上端部の端縁部分および前記仕切り板の前記突出側の端縁部分に、それぞれ一方の端から他方の端に向けて水滴形成促進用の凹凸部を連続的に設けると共に、前述した各凹凸部と同等に形成された凹凸部（第２の凹凸部）を備えた凹凸部付プレートを、凹状ガイド板の上端部の端部および仕切り板の突出側の端部にそれぞれ併設する。そして、この各凹凸部の内の吸入外気流の下流側に位置する凹凸部を当該吸入外気流の下流側に向けて一様に曲折するように構成してもよい（請求項４）。この場合、各凹凸部の内の吸入外気流の上流側に位置する凹凸部を当該吸入外気流の上流側に向けて一様に曲折してもよい（請求項５）。
【００２５】
このようにすると、外気が渦巻室を出る出口の領域における凹状ガイド板の上端部および仕切り板の突出側の凹凸部の数がそれぞれ約二倍に増加するので（しかも二列となって）、この部分での乱流の発生を大幅に増加させることができ、かかる点において水滴の発生も増加し、これにより外気が渦巻室から出る出口以降の領域で噴霧塗料が水滴に付着して回収される量がより一層多くなるという利点がある。
【００２６】
（削除）
【００２７】
（削除）
【００２８】
（削除）
【発明の効果】
【００２９】
本発明は以上のように構成され機能するので、これによると、ブース本体内に外気と共に噴霧塗料を有効に吸入することができ、水滴形成板の下端部端縁部分の凹凸部の各凸部を少なくとも一つ置きに吸入外気の下流側に向けて曲折したので、渦巻室内で水滴形成板に沿って下降する水滴に対してその先端部の複数の凹凸が二列に分かれてその下降を案内することとなり、かかる点において予め複数に分散された状態で滴下する水滴を吸入外気に同時に前後方向の二列に分散するので、吸入した水の水滴化とそれに伴う噴霧塗料の付着回収をより一層促進することができる。
更に、各凸部が少なくとも一つ置きに吸入外気の下流側に向けて曲折されていることにより、この領域を外気が高速で通過すると当該外気は攪拌され負圧のムラおよび変動が生じ、これがため水塊が微細化（水滴化）するには都合のよい環境が局部的に形成され、同時にこの領域内に外気と共に噴霧塗料が巻き込まれることから、当該噴霧塗料は水滴により一層付着し易くなり、当該噴霧塗料の回収能率の向上（環境汚染の有効な抑制）を期待することができる。
【００３０】
又、前述した凹状ガイド板の上端部および仕切り板の突出側の端部の各々の端縁部分に前述した水滴形成板の場合と同様の凹凸部を形成すると、凹状ガイド板および仕切り板の突出側から上方に向かって吸い上げられる水滴又は水塊についても、その微細化が更に促進され、渦巻室を出た後も、水滴に対する噴霧塗料の付着が促進され、かかる点において、噴霧塗料に対する水による付着回収の領域を更に多く設定することが出来て都合がよい。
【発明を実施するための最良の形態】
【００３１】
以下、本発明の一実施形態を添付図面に基づいて説明する。
〔全体的な内容〕
図１乃至図４において、符号１０はブース本体を示す。このブース本体１０は、吹き付け塗装時に被塗装物Ｗの周囲を通過して空中に放出される噴霧塗料（霧状の塗料ミスト）ｍを吸引してその多くを回収する手段（塗料ミスト回収機構８：図１参照）を内部に装備している。このブース本体１０は、その両側面の図１に示す二点鎖線の位置（後述する回動駆動機構３０の図１における上方部分）に側面開閉扉１０Ｋが設けられている。
又、図３において、記号Ｔは被塗装物Ｗを回転可能に保持する塗装治具を示す。この塗装治具Ｔは、中央部の連結部Ｔo から上方部分が回転可能な構造となっており、この連結部Ｔo に被塗装物Ｗを回転させるための手動アームＡm が設けられている。
【００３２】
このブース本体１０は、当該ブース本体１０内の気体を下方から吸い上げて外部へ排出する吸排気機構１を上端部に装備する（図１，図３参照）と共に、下端部に水槽２を備え、且つ塗装領域（被塗装物Ｗが配置される空間領域）Ｓに面して設けられた前面板１０Ａの下方部分に、外気吸入口３を備えている。
ここで、符号１Ａは吸気用動力ファンを示し、符号１Ｂはブース本体１０内の下方から吸い上げた吸入外気を外部へ排気するための断面四角形状の排気用ダクトを示す。吸気用動力ファン１Ａ部分は、図１に示すように必要な応じて矢印Ａの方向にその全体が開閉可能な構造となっている。
【００３３】
ブース本体１０の前述した前面板１０Ａの下方部分には、外気と共に吸入される水槽内の水を水滴化するための水滴形成板４が装備されている。そして、図１に示すように、この前面板１０Ａ部分の下部に配設された水滴形成板４と前述した水槽２内の底面との間に、外気吸入口３が設けられている。この場合、前述した水滴形成板４は、その下端縁部分に、後述するように水滴を形成するための連続的した凹凸部４Ｔ（図１〜図２，図５参照）を備えている。
【００３４】
そして、装置全体の稼働時には、図１に示すように、当初、水滴形成板４の下端縁が前述した水槽２内の水に幾分没する程度に配設されるように当該水槽２内の水位が設定され、この水滴形成板４の下端縁（凹凸部４Ｔ）と前述した水槽２内の底面との間に、前述した外気吸入口３が形成されるようになっている。このため、ここを通過しつつブース本体１０内に吸入される水は、前述した凹凸部４Ｔをかすめて噴霧塗料ｍを含む空気と水とが混在した形で同時に吸入される。
【００３５】
又、このブース本体１０の外気吸入口３の内側には、後述するように、当該外気吸入動作時に形成される水滴に対して吸入した噴霧塗料ｍを付着させるための空間である渦巻室７が設けられている。水滴形成板４はこの渦巻室７の一部（前壁面）を構成している。
上述した水滴形成板４の内側に当該水滴形成板４に対向し且つ所定間隔を隔てて、凹状ガイド板５が設けられている。この凹状ガイド板５は、外気吸入口３で強制的に吸入された水および外気と共に吸入した噴霧塗料を上方に向けて効率良く案内するようになっている。
【００３６】
この凹状ガイド板５は、上述したように、水滴形成板４に対向し且つ当該水滴形成板４と所定間隔を隔ててブース本体１０内に装備されている。更に、この凹状ガイド板５は、前述した水滴形成板４に面してその縦断面形状が凹状に形成されている。このため、例えば図１の左方から外気吸入口３を介して吸入される外気および噴霧塗料ｍと水槽２内の水とは、その慣性でそのまま右方向へ直進しようとするが、これを凹状ガイド板５は上方に向かうように案内するようになっている。
又、前述した水滴形成板４の上方の前面板１０Ａ部分には、前述した凹状ガイド板５の上方を覆う方向に向けて、仕切り板６がほぼ水平に突設されている。そして、この仕切り板６と前述した水滴形成板４及び凹状ガイド板５とブース本体１０の両側面板１０Ｂ，１０Ｃとにより、前述した渦巻室７が形成されている（図１参照）。
【００３７】
この渦巻室７では、前述したように凹状ガイド板５によって上方に向けて案内された重い水滴及び噴霧塗料ｍは、その一部が上方に位置する仕切り板６に遮られて下方に向けられ、これが連続して行われることからこの渦巻室７内で空気の渦巻きが生じ、水滴に対する噴霧塗料の付着が促進される。
図１における仕切り板６の右端縁と凹状ガイド板５の図１における上端縁との間に、上方に向けて水滴を送出するための上方開口部７Ａが設けられている。このため、上方に装備された吸排気機構１に吸引されて、前述した渦巻室７内の水滴及び水塊の一部が上方開口部７Ａから連続的に送出される。
【００３８】
更に、この仕切り板６の上方には、前述した従来例の場合と同様に、水滴に付着した噴霧塗料を水滴と共に回収する手段としての塗料ミスト回収機構８が装備されている。この塗料ミスト回収機構８は、本実施形態では、所定間隔を隔てて斜め横に仕切って配置された二枚の斜面状仕切り板１１，１２によって形成されている。
【００３９】
この内、下側の斜面状仕切り板１１は、ブース本体１０内でその後面板１０Ｄ側から前述した渦巻室７の上方開口部７Ａに対向した状態で前述した前面板１０Ａに向けて斜め上方に突設され、その先端部と前面板１０Ａとの間に空気送出用の空間（空気送出口１１Ａ）が設けられている。
又、上側の斜面状仕切り板１２は、ブース本体１０内でその前面板１０Ａ側から前述した下側の斜面状仕切り板１１の空気送出口１１Ａに対向した状態で前述した後面板１０Ｂに向けて斜め上方に突設され、その先端部と後面板１０Ｂとの間に空気送出用の空間（空気送出口１２Ａ）が設けられている。
【００４０】
このため、渦巻室７内で（又、その上方開口部７Ａ部分で）有効に噴霧塗料が付された水滴群は、同時に吸入された他の空気と共に連続して上方向に送り出される。そして、この上方開口部７Ａから送り出された水滴群は、その慣性より、その多くが対向して配置された下側の斜面状仕切り板１１に衝突して噴霧塗料と共に塗料ミストとして付着し、それが連続してなされることから大きい水滴に成長し、やがて下方の水槽内に塗料ミストと共に滴下する。
【００４１】
上側の斜面状仕切り板１２でも同様のことが連続して行われる。即ち、ここでも下側の斜面状仕切り板１１の空気送出口１１Ａを通過した水滴群が上側の斜面状仕切り板１１に衝突して噴霧塗料と共に付着し、それが大きい水滴に成長し、やがて下方の水槽内に噴霧塗料と共に滴下する。
【００４２】
これにより、塗料ミスト回収機構８では、噴霧塗料が付着した水滴を大きい水滴に成長させ、これによって噴霧塗料を下方の水槽２内に塗料ミストとして有効に回収するようになっている。
そして、噴霧塗料が水滴によって有効に除去された後、これを搬送してきた空気は吸排気機構１に吸引されて外部へ排出される。又、この間に空気と共に水滴の一部も外部へ排出され、これがため水槽２内の水が徐々に減少するが、かかる場合は後述するように水補給システム７０によって外部から水が補給されるようになっている。
【００４３】
前述した水槽２内には、塗料ミスト回収機構８の作用によって、経時的に塗料ミストが堆積する。この場合、前述した従来例に示すように、水槽２内（特に渦巻室７内）の塗料ミストの排除は容易でない。
このため、本実施形態では、後述するように、装置の稼働停止時の時間帯に、前述した水滴形成板４又は水滴形成板４及び凹状ガイド板５を前方に向けて回転動作させる（必要に応じて保持することもできる）構造の回動駆動機構３０を装備し、これにより、作業員がブース本体１０内に入ることなく、外部から渦巻室７内および水槽２内底面に堆積し又は付着した塗料ミストを水等を噴射して容易に除去することができるようにした。
【００４４】
又、本実施形態では、水槽２内の水を回収した噴霧塗料（塗料ミスト）と共に外部へ排出する排水扉５０を設け、特にこの排水扉５０として前述したブース本体１０内が負圧状態の時に閉じる形態の負圧式排水扉とした。
これにより、装置全体のの稼働休止時には水槽２内の水を必ず全部排出するようにし、水槽２内に塗料ミストが堆積する量を極力少なくなるようにした。更に、本実施形態では、噴霧塗料を回収するに際して使用する水については水槽２内の水を繰り返し使用し得るように自然循環式の水循環システムを備えたものとした。
【００４５】
〔水滴形成板４について〕
次に、上述した水滴形成板４について更に詳述する。
この水滴形成板４は、前述したように渦巻室７の一部を成し、その水没して配置される図１の下端部分（水滴形成板４の先端部分）に、下方に向かって連続した山形状の凹凸部４Ｔが（のこぎり歯状に）設けられている（図１〜図２，図５〜図７参照）。この水滴形成板４は、本実施形態では加工の都合上全体的には三枚に分割して形成され、後に一枚の水滴形成板４として一体化されたものとなっている。
この水滴形成板４には、図１〜図２に示すように上端部の内側に回動支点が設けられ、この部分に当該水滴形成板４を固着し且つ支持する支持軸１５が固着装備されている。この支持軸１５は、前述したブース本体１０に回転自在に保持されている。
【００４６】
又、この水滴形成板４の上端縁４Ａ部分は、図１〜図２，図６〜図７に示すようにその縦断面形状が外側に向けて半円弧状に突設され湾曲加工されている。このため、この水滴形成板４の下端部側が支持軸１５を中心として外側に向けて回動した場合に、その上端縁側は前述した前面板１０Ａの下端縁に線接触した状態からのすべり動作となり、かかる点において上端縁４Ａ部分には引っ掛かり部分がないことから、当該水滴形成板４はその開閉すべり動作に際しては比較的円滑に回動するようになっている。
【００４７】
更に、この水滴形成板４の下端縁部分には、前述したように連続した山形状の凹凸部４Ｔが（のこぎり歯状に）下方に向けて突設されている。この山形状の凹凸部４Ｔは、本実施形態では、更に、各凹凸部４Ｔを互い違いに反対方向に所定角度をもって曲折した状態に加工設定したものとなっている。
この場合、加工に際しては、図７に示すようにまず各頂角α1 （図７（Ｃ）参照）部分を約９０°に加工し（谷部分の角度α2 も約９０°に加工されている）、その後に、各凹凸部４Ｔを互い違いに反対方向に所定角度β1 （図７（Ａ）参照）をもって曲折した状態に加工設定したものとなっている。ここで、図７（Ｃ）は図７（Ａ）の矢印Ｃ１に沿って見た凹凸部４Ｔ部分を示す。
【００４８】
図７（Ａ）において、互い違いに曲折する角度β1 は、曲折前の板面に対して本実施形態では、約３０°に設定されている。これがため、隣接する凸部４ｔの相互間での曲折した角度β2 は全体的には約６０°の傾きをもって相互に反対方向に曲折された状態となっている。この場合、各凹凸部４Ｔでは、凸部が上述したように交互に一方と他方に曲折されているため、この部分での乱流の発生が多くなり同時に負圧の激しい繰り返し変動が生じることから、水塊の水滴化が有効に促進される。
ここで、上述した図７（Ａ）における曲折角度β1 は、０°〜９０°の範囲であれば、必ずしも３０°でなくてもよい。この場合、隣接する凸部４ｔの相互間での曲折した角度β2 も、全体的には０°〜９０°の範囲であれば、必ずしも６０°でなくてもよい。
【００４９】
又、図２，図７において、矢印Ｋ１は清掃時に操作される水滴形成板４の回動方向を示す。ここで、符号１６は稼働時に水滴形成板４が定位置にて円滑に機能するためのストッパーを示す（図２では省略）。このストッパー１６は、断面がＵ字状のＵ字状型材によって構成され、その両端部が前述したブース本体１０に固着されている。このストッパー１６については、断面Ｌ型のＬ字状部材であっても又は管などの棒状部材であってもよい。更に、図６において水滴形成板４に向かう白抜き矢印は気圧が印加される方向（内部が負圧状態の時）を示す。
【００５０】
〔渦巻室７の他の構成部材について〕
前述した渦巻室７は、前述したように、ブース本体１０の両側面板１０Ｂ，１０Ｃと水滴形成板４とこれに対向してブース本体１０の内側に装備された凹状ガイド板５と前述した水滴形成板４の上方に装備された仕切り板６とによって囲まれた空間をもって、構成されている。
【００５１】
まず、凹状ガイド板５について詳細に説明する。
凹状ガイド板５は、図８に示すように、本実施形態においてはそのガイド板本体５Ａ部分の全体的な凹状角度Ｑが例えば６５°〜９０°に設定され、その下端部先端５Ｂ（図８（Ａ）参照）が、開き角度Ｅ1 だけ前述した凹状角度Ｑを更に開く方向に曲折されている。ここで、下端部先端５Ｂの開き角度Ｅ1 は本実施形態では約５°に設定されている。これによって水槽４内の水が渦巻室７内に吸入されやすいようになっている。尚、前述した凹状角度Ｑについては６５°〜１２０°程度であってもよい。
【００５２】
ここで、下端部先端５Ｂ部分の裏側（水槽２の内部底面側）には、その複数箇所に、当該凹状ガイド板５の下端部先端５Ｂ部分と水槽２の内部底面との間に適当な隙間（通水可能な隙間）を設定するためのスペーサ５Ｂａが設けられている（図１参照）。このため、外気吸入口３から吸引される水の一部が凹状ガイド板５の背面側（排水扉側）から外気吸入口３側に押し出されて補給され、水滴化に寄与されるようになっている。
【００５３】
ガイド板本体５Ａは、図２，図８に示すように、その湾曲部分の背面側に複数本の支持部材１８がほぼ垂直に固着装備されている。この支持部材１８は断面がＵ字状のＵ字状部材から成り、この複数本の各支持部材１８の図８（Ａ）における上端部がそれぞれほぼ水平に配設された支持軸１７に所定間隔をへだてて固着されている。即ち、ガイド板本体５Ａは複数本の各支持部材１８を介して支持軸１７に保持され、清掃時には当該支持軸１７の回転動作と共に矢印Ｋ２の方向に回転し得るようになっている。
【００５４】
又、前述した支持部材１８に支持された状態の凹状ガイド板５は、その上端部が前述した前面板１０Ａに向けて所定角度Ｅ2 だけ傾斜した状態に設定されている。この場合、本実施形態では角度Ｅ2 が約３０°に設定されているが、０°でも、或いは０°〜３０°の範囲内の任意の角度であってもよい。
更に、前述したガイド板本体５Ａについては、加工の都合上全体的には三枚に分割して形成され、後に一枚のガイド板本体５Ａに一体化されたものとなっている（最初から一枚で加工してもよい）。又、このガイド板本体５Ａを保持する支持軸１７は、前述した水滴形成板４の支持軸１５の場合と同様にその両端部が前述したブース本体１０に回転自在に保持されている。
【００５５】
更に、図８（Ａ）において前述したガイド板本体５Ａの上端縁部分（支持部材１８に対して角度Ｅ2 の方向に湾曲して配設されている部分）には、連続した山形状の凹凸部５Ｔが（のこぎり歯状に）、角度Ｅ2 の方向に沿って設けられている。この凹凸部５Ｔは前述した水滴形成板４の凹凸部４Ｔとほぼ同様に形成されている。
このため、実際の稼働時には、この凹凸部５Ｔが前述した水滴形成板４の凹凸部４Ｔと同様に機能し、当該水滴形成板４で形成された水滴が上方に急速に吸引移動する力を利用して当該水滴を更に微細に打ち砕くようになっている。
【００５６】
この山形状の凹凸部５Ｔは、本実施形態では、更に、各凸部分５ｔを互い違いに反対方向に所定角度をもって曲折した状態に加工設定したものとなっている。
この場合、加工に際しては、まず各凸部分５ｔの頂角α1 （図８（Ｂ）参照）を前述した従来例の場合と同様に約９０°に加工設定し（谷部分の角度α2 も約９０°に加工されている）、その後に、当該各凸部分５ｔを互い違いに反対方向に所定角度β1 （図８（Ａ）参照）をもって曲折した状態に加工設定したものとなっている。
【００５７】
この場合、互い違いに曲折する角度β1 は、曲折前の板面に対して本実施形態では、約３０°に設定されている（β1 は０°〜９０°の範囲であれば３０°でなくてもよい）。これがため、隣接する凸部５ｔの相互間での曲折した角度β2 は全体的には約６０°の傾きをもって相互に反対方向に曲折された状態となっている（ここで、β2 は０°〜１８０°の範囲であれば６０°でなくてもよい）。
これにより、水滴と吸入外気とがこの凹凸部５Ｔ部分を通過した場合には、吸入された外気がこの凹凸部５Ｔ部分を通過すると外気が攪拌された状態となって当該外気の乱流が激しくなり、負圧の局部的変動が活発化し、これにより、水滴の微細化がより一層促進され、同時に一緒に流動する噴霧塗料（塗料ミスト）ｍが当該水滴に対して更に付着し易い状態となる。
【００５８】
符号１９は稼働時に凹状ガイド板５が定位置にて円滑に機能するためのストッパーを示す。このストッパー１９は、前述したストッパー１６と同様に断面がＵ字状のＵ字状型材によって構成され、その両端部が前述したブース本体１０に保持されている。
このストッパー１９については、断面Ｌ型のＬ字状部材であっても、又は管などの棒状部材であってもよい。又、図８（Ａ）において、符号４１Ｆは後述する水槽２の内底面である傾斜床面を示し、記号Ｆは装置全体を設置する箇所の作業場内の床面を示す（以下、同じ）。
【００５９】
次に、渦巻室７の天井側の仕切り板６について詳述する。
この仕切り板６は、図２，図９（Ａ）に示すように、前面板１０Ａの下端部にその一端部が固着され他端部側がブース本体１０の内側に向けてほぼ水平に配設されている。このため、この仕切り板６は下方から上昇してくる水滴および吸入外気等の一部を下方に押しやる機能を備えることとなる。この結果、渦巻室７内では、仕切り板６によって前面板１０Ａに沿って生じる下方への気流と前述した凹状ガイド板５によって生じる上方への気流とによって渦巻きが生じる。
【００６０】
更に、この仕切り板６には、その先端部（図９（Ａ）の右端縁部分）には、前述した図７における水滴形成板４に形成された山形状の凹凸部４Ｔと同等の連続した山形状の凹凸部６Ｔが（のこぎり歯状に）設けられている。この仕切り板６の凹凸部６Ｔは、渦巻室７の上方開口部７Ａの端縁を構成している。
このため、実際の稼働時には、この仕切り板６の凹凸部６Ｔが、前述した水滴形成板４の凹凸部４Ｔと同様に機能する。即ち、渦巻室７内の水滴は、その一部が渦巻室７内から上方に向けて急速に移動する（吸い出される）際に当該凹凸部６Ｔにぶち当たることからこの部分の負圧の変動が局部的に激しくなり、当該水滴は（凹凸部６Ｔによって）更に微細に打ち砕かれ若しくは攪乱されて噴霧塗料が有効に付着される。
【００６１】
この山形状の凹凸部６Ｔは、本実施形態では、前述した山形状の凹凸部４Ｔ，５Ｔの場合と同様に、各凸部分６ｔを互い違いに反対方向に所定角度をもって曲折した状態に加工設定したものとなっている。このため、かかる場合、当該凹凸部６Ｔでの水滴の乱流の変化が更に多くなり噴霧塗料がより有効付着されることとなる。
ここで、各凸部分６ｔの加工に際しては、まず各凸部分６ｔの頂角α1 （図９（Ｃ）参照）を前述した従来例の場合と同様に約９０°に加工設定し（谷部分の角度α2 も約９０°に加工されている）、その後に、当該各凸部分６ｔを互い違いに反対方向に所定角度β1 （図９（Ａ）参照）をもって曲折した状態に加工設定したものとなっている。図９（Ｃ）は、前述した図９（Ａ）に開示した凹凸部６Ｔを矢印Ｃ３の方向から見た場合の凹凸部６Ｔを示す。
【００６２】
この互い違いに曲折する場合の曲折角度β1 は、曲折前の板面に対して本実施形態では、約３０°に設定されている（β1 は０°〜９０°の範囲であれば３０°でなくてもよい）。これがため、隣接する凸部６ｔの相互間の曲折角度β2 は全体的には約６０°の傾きをもって相互に反対方向に曲折された状態となっている（ここで、β2 は０°〜１８０°の範囲であれば６０°でなくてもよい）。
これにより、吸入された外気がこの凹凸部６Ｔ部分を通過すると外気が攪拌された状態となって当該外気の乱流が激しくなり、負圧の局部的変動が活発化し、これにより、水滴の水滴化がより一層促進され、同時に一緒に流動する噴霧塗料（塗料ミスト）ｍが当該水滴に対して更に付着し易い状態となる。
【００６３】
このように、この渦巻室７内では、外気吸入口３を介して吸入され水滴形成板４にて形成された水滴が同時に吸入される外気および噴霧塗料ｍと共に渦巻く中で、噴霧塗料ｍ自体は周囲の各部材に水滴と共に一部付着するが、多くは、空間内を一緒に移動する当該水滴に対し有効に付着する。更に、当該水滴が渦巻室７から上方に向けて送出される際には、仕切り板６の凹凸部６Ｔ部分によって又凹状ガイド板５の凹凸部５Ｔによって当該水滴が更に細分化され、それに伴って噴霧塗料ｍが水滴に更に有効に付着しつつ渦巻室７から上方へ送出される。即ち、渦巻室７から上方へ移送される過程でも、上述したように水滴に対する噴霧塗料ｍの付着が更に有効に促進される。
【００６４】
〔渦巻室７の全体的な機能〕
装置全体が稼働状態に設定され前述した吸排気機構１が作動すると、ブース本体１０内の空気が連続的に上方へ吸い上げられ、ブース本体１０内に負圧が生じる。この負圧により、下方に位置する水槽２内の水が外気と共に外気吸入口３から渦巻室７内へ吸い込まれ、同時に塗装領域Ｓに噴射された不要の噴霧塗料ｍも外気と一緒に渦巻室７内へ吸い込まれる（図６参照）。
【００６５】
ここで、外気吸入口３部分では、前述したように渦巻室７の一部をなす水滴形成板４が機能し、吸入される水槽内の水が下端部の凹凸部によって一部粉砕され水滴化される。この水滴化された水を含んで当該水槽内の水と外気とは、吸入先にある凹状ガイド板５に案内されて斜め上方へ送り出される（図６内、矢印ａ，ｂ，ｃ参照）。この間、噴霧塗料の一部は水滴に付着する。
この斜め上方へ送り出された水と外気とは凹状ガイド板５の上方でその一部（特に水滴部分）が噴霧塗料と共にブース本体１０内へ吸い上げられる（図６内、矢印ｅ，ｆ参照）。同時に重い水滴部分（水滴に成りきれない水塊状態のもの）は、（大量の外気と一緒に）その移動の直進性より上方の仕切り板６に向かう。この間、外気および微細化された水滴の一部は上方開口部７Ａより上方へ吸い上げられる。一方、仕切り板６に向かった外気および重い水滴部分は外気と共に仕切り板６に衝突して下方へ向けられる。
【００６６】
このため、重い水滴部分は前述した水滴形成板４に沿って下降しその凹凸部４Ｔから外気吸入口３部分へ滴下する。この場合、外気吸入口３部分では、噴霧塗料ｍと外気とが連続して吸い込まれてくることから、滴下した水滴はこの噴霧塗料ｍと外気と一体となって再び凹状ガイド板５に向かって加速され、以後、前述した状態（渦巻き状態）が繰り返され、この間、水滴の微細化と当該微細化された水滴への噴霧塗料ｍの付着が有効になされる。そして、微細化された水滴は噴霧塗料と共に上方開口部７Ａから上方へ連続的に移動する。即ち、渦巻室７内で噴霧塗料ｍが付された水滴の一部が、上方に装備された吸排気機構１に吸引されて上方開口部７Ａから連続的に送出される。そして、以後は前述したように塗料ミスト回収機構８によって塗料ミストは水槽２内に有効に回収される。
【００６７】
〔渦巻室７の他の例〕
上述した渦巻室７では、当該渦巻室７を構成する水滴形成板４，凹状ガイド板５及び仕切り板６の各凹凸部４Ｔ，５Ｔ，６Ｔの設定位置を固定式とした場合を例示したが、ここでは、各凹凸部４Ｔ，５Ｔ，６Ｔの設定位置をスライドさせて調整し得るスライド式ついて説明する。
【００６８】
図１３において、渦巻室９７は、前述した渦巻室７の場合とほぼ同様に形成され且つ同様に配設された水滴形成板９４と，凹状ガイド板９５と、仕切り板９６とを備えている。  この内、水滴形成板９４は、図１４に示すように固定プレート９４Ａと、この固定プレート９４Ａの面に沿って前述した支持軸１５から離れる方向（矢印Ｓ）に往復移動するスライドプレート９４Ｂと、このスライドプレート９４Ｂを図２の上下方向に沿って往復移動するのを許容するスライド機構９４Ｃとを備えている。このスライド機構９４Ｃは、水滴形成板９４の少なくとも２箇所に装備されている。又、スライドプレート９４Ｂには、前述した凹凸部９４Ｔが、スライドプレート９４Ｂの先端部に形成されている。ここで、凹凸部９４Ｔは前述した水滴形成板４の凹凸部４Ｔと同様に形成されている。
【００６９】
前述したスライド機構９４Ｃは、図１４に示すようにスライドプレート９４Ｂに形成された長穴９４Ｂａと、この長穴９４Ｂａを介して固定プレート９４Ａにスライドプレート９４Ｂを二箇所で固定するネジ部９４Ｅとにより構成されている。長穴９４Ｂａは、前述した支持軸１５に直交する方向に形成されている。
このネジ部９４Ｅは、座金付きの雄ねじ９４Ｅａと雌ねじ９４Ｅｂとで構成され、この内、雌ねじ９４Ｅｂ部分が固定プレート９４Ａに固着されている。このため、雄ねじ９４Ｅａを緩めると、ネジ部９４Ｅの位置は不変でスライドプレート９４Ｂを長穴９４Ｂａに沿って往復移動可能な状態に設定され、任意の位置に配置することが出来る。このため、これを装備すると、前述した外気吸入口３の大きさを自由に調整することができ、吹き付け塗装で使用する塗料に応じて適度の大きさの外気吸入口３を設定し得るという利点があり、多目的用として好適な塗装ブースを得ることができる。
【００７０】
凹状ガイド板９５と仕切り板９６についても、上述した水滴形成板９４の場合と同様に、固定プレート９５Ａ，９６Ａと、この固定プレート９５Ａ，９６Ａに沿って前述した支持軸１５又は前面板１０Ａ側から離れる方向に往復移動するスライドプレート９５Ｂ，９６Ｂと、このスライドプレート９５Ｂ，９６Ｂが前述した固定プレート９５Ａ，９６Ａに沿って往復移動するのを許容するスライド機構９５Ｃ，９６Ｃとを備えている（図１３参照）。
【００７１】
このスライド機構９５Ｃ，９６Ｃは、前述した水滴形成板９４の場合と同様に構成され、当該水滴形成板９４の場合と同様に少なくとも二箇所に装備されている。又、スライドプレート９５Ｂ，９６Ｂには、前述した水滴形成板９４の凹凸部９４Ｔと同様の凹凸部９５Ｔ，９６Ｔが、それぞれスライドプレート９５Ｂ，９６Ｂの先端部に形成されている。ここで、凹凸部９５Ｔ，９６Ｔはそれぞれ前述した水滴形成板９４の凹凸部９４Ｔと同様に形成されている。又、凹凸部９４Ｔ，９５Ｔ，９６Ｔを構成する各凸部９４ｔ，９５ｔ，９６ｔは、必要に応じて０°〜９０°の範囲で個別に何れかの方向に曲折されて使用されるようになっている。
【００７２】
このため、このスライド機構９５Ｃ，９６Ｃを機能させることにより、渦巻室９７の上方向への通気路の大きさを調整することができるので、上方へ吸い上げられる外気および水の方向や量を塗料の質に応じて適度に調整することができ、かかる点において噴霧塗料の水滴への最適な吸着環境を調整しながら設定することができるという利点がある。
【００７３】
〔回動駆動機構３０について〕
前述した渦巻室７には、当該渦巻室７を構成する水滴形成板４と凹状ガイド板５とに対して、垂下状態からその下端部側を水平方向に向けて起伏回動なさしめる回動駆動機構３０が併設されている（図１〜図６，図１０参照）。
【００７４】
この回動駆動機構３０は、前述した水滴形成板４および凹状ガイド板５をそれぞれ上端部側で個別に保持する二つの支持軸１５，１７と、この各支持軸１５，１７の相互間に架設され当該各支持軸１５，１７を同時に連動せしめる連動機構３１と、この連動機構３１に駆動力を付勢する駆動手段としてのレバー機構３３とを備えている。そして、この駆動手段としてのレバー機構３３には、当該レバー機構３３を所定位置にて保持するレバー保持機構３５が併設されている。
【００７５】
支持軸１５，１７は、図１〜図２，図４〜図５に示すように同一水平面上に平行に配設され且つブース本体１０の両側面に回転自在に保持されている。
又、本実施形態における連動機構３１は、水滴形成板４の回転角度を前述した凹状ガイド板５の回転角度よりも大きく設定した。具体的には、前述した水滴形成板４の最大回転角度を約９０°に設定した場合、凹状ガイド板の回転角度は最大約５０°程度とした。
【００７６】
これを更に詳細に説明すると、まず本実施形態では、上述した連動機構３１は図３に示す正面図の左端部下方に装備され、レバー機構３３及びレバー保持機構３５は図３に示す正面図の右端部下方に装備されている。
この内、連動機構３１としては、本実施形態ではチェーン車機構が採用され、これによって、水滴形成板４の回転角度と凹状ガイド板５の回転角度は、繰り返し使用にあっても常に水滴形成板４の方が大きく回動するようになっている。
【００７７】
ここで、前述した水滴形成板４を支持する支持軸１５には例えば直径（チェーン車のＰＣＤで）１００〔ｍｍ〕のチェーン車３１Ａが固着装備され、凹状ガイド板５を支持する支持軸１７には例えば直径（チェーン車のＰＣＤで）１８０〔ｍｍ〕のチェーン車３１Ｂが固着装備され、両者はエンドレスチェーン３１Ｃで連結されている。このため、凹状ガイド板５を５０°前後回動させると、水滴形成板４は９０°前後の回転角度で同時に回転動作するようになっている。
【００７８】
このため、連動機構３１を操作すると、ブース本体１０の前面板１０Ａ側からみると（図３参照）、まず、水滴形成板４の下端部が前方に突き出された状態で回動され、これに遅れて奥に位置する凹状ガイド板５がその下端部を前方に突き出した状態で回動し始める。そして、水滴形成板４が垂れ下がった状態から９０°回転した後の状態では凹状ガイド板５は５０°前後回動した状態となり、かかる位置ではブース本体１０の前面側（図３）からみると水滴形成板４と凹状ガイド板５の各裏面が同時に丸出しとなることから、水洗用水による噴射洗浄が容易となり、当該水滴形成板４と凹状ガイド板５の両面の戦場を確実に且つ容易に実行することができる。
【００７９】
駆動手段としてのレバー機構３３は、図３〜図４，図１０に示すように、連動機構３１の大きい方のチェーン車３１Ｂの支持軸１７（凹状ガイド板５を支持する支持軸）に、上方に向けて連結装備されている。このレバー機構３３は、長さの比較的長い操作レバー３３Ａと、この操作レバー３３Ａの先端部（回動端部）に固着された握り部３３Ｂとを備えている。そして、この操作レバー３３Ａの後端部（回動中心部）が、前述した支持軸１７に固着装備されている。
【００８０】
図１０中、記号Ｇ１は操作レバー３３Ａの操作範囲を示し、記号Ｇ２はチェーン車３１Ｂの回動範囲（凹状ガイド板５の最大回転動作範囲）を示す。前述したレバー保持機構３５は、チェーン車３１Ｂの回動範囲を設定するためのもので、前述した操作レバー３３Ａの中央部でやや先端部（回動端部）側に対応した位置で前述した凹状ガイド板５の最大回転動作範囲を設定する位置に対応して前述したブース本体１０の右側面の所定位置に固着装備されている。
このため、ブース本体１０内の洗浄作業に際しては、レバー保持機構３５で凹状ガイド板５の最大回転動作範囲に固定して停止させることができ、これにより作業員一人でも円滑に洗浄作業を行うことができる。
【００８１】
又、レバー機構３３の操作レバー３３Ａには、その後端部側（回動中心部側）に、操作力補助機構３８が装備されている。この操作力補助機構３８は、水滴形成板４と凹状ガイド板５の大型化に対応して装備したもので、その回動動作に比較的多くの動力を要することから、水滴形成板４と凹状ガイド板５の回動方向に向けて予め初期回動力を付加しておくためのものである。
【００８２】
このため、この操作力補助機構３８は、引張ばね３８Ａと、この引張ばね３８Ａのばね力の初期値を可変設定するための複数の係留部を備えた固定係止板３８Ｂと、この固定係止板３８Ｂの各係留部３８Ｂａに係合可能で且つ前述した引張ばね３８Ａの他端部に装備された係止片３８Ｃとを備えている。そして、引張ばね３８Ａの一端部は、前述した操作レバー３３Ａの後端部側（回動中心部側）で且つ適度の初期回動力を当該操作レバー３３Ａに印加し得る位置に係止されている。
【００８３】
このため、操作力補助機構３８における固定係止板３８Ｂの前述した各係留部３８Ｂａに対する係止片３８Ｃの係合位置を自在に変化させることにより、操作レバー３３Ａの操作方向に対する初期回動力を自在に可変設定することができ、操作性良好なレバー機構（駆動手段）３３が得られる。
【００８４】
〔回動駆動機構３０に関するその他の構成〕
ここで、本実施形態では連動機構３１としてチェーン車機構を装備した場合を例示したが、例えばＶベルト機構，穴付きベルト機構等の他の連動機構であってもよい。又、チェーン車機構３１の各チェーン車３１Ａ，３１Ｂの大きさ及びその比（回転角度の違い）については、使用状況に応じて適宜変えてもよい。
【００８５】
又、駆動手段としてのレバー機構３３を、本実施形態では大きい方のチェーン車３１Ｂの支持軸１７（凹状ガイド板５を支持する支持軸）に装備した場合を例示したが、これとは別に、小さい方のチェーン車３１Ａの支持軸１５（水滴形成板４を支持する支持軸）に装備してもよい。
更に、本実施形態では、連動機構としてチェーン車機構３１を装備して水滴形成板４と凹状ガイド板５とを同時に回動させる場合について例示したが、この連動機構としてのレバー機構３３を装備せずに水滴形成板４を支持する支持軸１５に、駆動手段としてのレバー機構３３を直接装備して水滴形成板４のみを起伏回動するように構成してもよい。
このようにしても、水滴形成板を回動させてその裏面を外部に露出させることができるので、外気吸入口３部分が開放されることとなり、渦巻室内の塗料ミストの付着状況を外部から観察しながらシャワーを噴射するという作業がいつでも可能となり、凹状ガイド板５の背面側に付着した塗装ミストについては従来の手法（ブース本体１０の左右側面の開閉機構の操作）によって有効に除去される点で、全体的には作業能率の向上を図ることができ、これにより装置全体を常に能率良く円滑に作動させることができ、ブース本体の稼働効率の上昇を期待することができる。
【００８６】
〔水槽及び排水扉について〕
ブース本体１０の下方領域に施設された水槽２は、塗料ミスト回収用の水槽本体部４１と、この水槽本体部４１に併設された塗装作業用水槽部４２とを備えている。この水槽本体部４１と塗装作業用水槽部４２とは、金網等の通水性部材４１Ａによって仕切られている。
水槽本体部４１は、ブース本体１０の背面板１０Ｄおよび両側面板１０Ｂ，１０Ｃによって囲まれた領域に設定されている。又、塗装作業用水槽部４２は、図３の正面の右側部分２／３程度の領域で水槽本体部４１の右側部分が手前に突出した箇所に配置されている（図４参照）。この塗装作業用水槽部４２の内側底面は水平に設定されている。この塗装作業用水槽部４２の内部には、図３に示すように被塗装物Ｗを内面側から保持すると共に回転可能に構成された塗装用治具Ｔが装脱自在に配設されている。図４において矢印Ｗd
はブース本体１０に向かって設定される室内空気の同一方向への流れを示す。
【００８７】
そして、前述した水槽本体部４１の前面側で且つ当該水槽本体部４１から突設された塗装作業用水槽部４２の図４における左側部分のコーナー領域Ｚに、吹き付け塗装の塗装技術者又は自動吹き付け作業に際して施設される塗装用ガンが配置されるようになっている。符号Ｘは、この場合の塗装技術者又は塗装ガンの配置箇所（図４参照）を示す。
このため、本実施形態にあっての塗装作業は、ブース本体１０に向かって流入する室内空気流Ｗd に直交する方向からの吹き付け塗装作業となり、これがため従来のように流入する空気流に背に受けて行う塗装作業と異なり、被塗装物に対する室内空気の乱れが少なくなり、その分、乱流に伴う塵埃の混入を有効に回避することができて都合がよいようになっている。
【００８８】
前述した水槽本体部４１の内側底面（内底面）４１Ｆは、図１の左方から右方に向けて幾分傾斜した傾斜面となっている。この水槽本体部４１の内側底面４１Ｆの傾斜角は、排水がブース本体１０の背面側に流れる得るような傾斜であれば傾斜角は何度であってもよい。そして、この内側底面４１Ｆの傾斜によって流れる方向の低い箇所（図１では右端部：ブース本体１０の背面側）に、前述した水槽２内の水を排出する排水口２Ｋが設けられ、この排水口２Ｋ部分に排水扉５０が設けられている。
【００８９】
この排水扉５０として、本実施形態では通常は開放状態に設定されブース本体１０内が負圧状態の時に閉じる構造の負圧式排水扉が装備されている。
この負圧式の排水扉５０は、排水口２Ｋの上方部分に回動支点５０ａを備えた回動式の扉本体５１と、この扉本体５１の前述した排水口２Ｋに対向した位置に装備された排水口遮蔽部材５２と、排水口２Ｋの上部分に配設され前述した扉本体５１を開放方向に常時押圧する圧縮ばね５３とを備えている。そして、装置全体が作動停止中は前述した圧縮ばね５３が機能して扉本体５１を図１の二点鎖線の位置に向けて常時押圧し、これによって排水口２Ｋは回動支点５０ａを支点として回動し開放された状態に設定される。符号５１ｂは扉本体５１用のストッパーを示す。
【００９０】
このため、装置全体の稼働が停止されると、前述した吸排気機構１が停止するため、ブース本体１０内が負圧状態から正常気圧の状態になることから、直ちに圧縮ばね５３が作動して扉本体５１を図１の二点鎖線の位置に押圧し、これによって排水口２Ｋが開放され、水槽２内の水が塗装ミストを一部含んだ状態で（堆積する前に）排出される。この場合、塗装作業用水槽部４２の水も同時に排水される。符号５５は排水口２Ｋからの排水を外部に設けた所定の貯水槽へ送り込むための排水路を示す。ここで、この塗装作業用水槽部４２の内側底面４２Ｆ部分も、前述した水槽本体部４１の内側底面４１Ｆの場合と同様に当該内側底面４１Ｆに連なる傾斜面としてもよい。
【００９１】
このため、水槽２内に留まる塗装ミストの量が著しく低減され、長期間の稼働にあっても、ブース本体１０内では装置全体の作動停止の度に水槽２内の水を回収した塗装ミストと共に排出し入れ換えるので、当該ブース本体１０内での塗装ミストの集積（堆積）を有効に抑制し得るという利点を備えたものとなっている。
ここで、前述した排水扉５０については、扉本体５１に開閉自在の常閉キーを装備し、必要に応じてブース本体１０内の負圧如何にかかわらず常時閉じた状態に設定して使用してもよい。
【００９２】
〔水循環／水補給システムについて〕
前述した水槽２には、図１１に示すように水循環システム６０および水補給システム７０が併設されている。
この内、水循環システム６０は、図１１にも示すように、水槽２内の前述した排水扉５０側に留まっている水を水槽２内の前述した外気吸入口３の外側領域に戻すように構成したもので、水槽２内の排水扉５０側に装備された取水部６１と、この取水部６１で取水した水を外気吸入口３の外側領域に戻すための循環用配管部６２と、循環用配管部６２で送り込まれる水を一時的に停留させておく貯水部６３とを備えている。
【００９３】
この内、貯水部６３は、水槽２の前述した外気吸入口３の外側領域の底部分に配設され、当該箇所の水槽２の底部には貯水部６３から水槽２内へ水を循環させるための通水用開口６３Ａが設けられている。ここで、取水部６１の取水口６１ａは前述した水槽２内の水の水面と底面の中間の領域に配置されている。この場合、水槽２内に回収された塗装ミストは、重い成分は水槽２内に沈殿し軽い成分は水面に浮遊する。このため、取水部６１の取水口６１ａを上述したように配置することにより、塗装ミストを吸入することなく水のみを取水して再利用する事ができるようになっている。
【００９４】
ここで、図１１において、符号６２Ａは循環用配管部６２用の開閉バルブを示し、符号６２Ｂは貯水部６３の底部に設けられた排水管用連結バルブを示す。
又、この水循環システム６０については、図１１に示すように循環用配管部６２を装備した場合を例示したが、貯水部６３を図１の右方向へ（循環用配管部６２の領域まで）拡張して循環用配管部６２を削除し、取水部６１の取水口を前述した水槽２の幅一杯に拡張し、これによって水槽２内の図１１における右側領域と前述した通水用開口６３Ａとを貯水部６３を介して連通するように構成してもよい（図示せず）。
このようにすると、外気吸入口３から外気と共に吸入する水の不足に際しても水槽２内の反対側にある水をもって相応的に対応することができ、動作の安定を確保し得るという利点がある。
【００９５】
又、水補給システム７０は、本実施形態では、貯水タンク７１と、この貯水タンク７１内の水を前述した水槽２内へ送り込む補給用配管７２と、前述した水槽２内の水の水位を検出する水位センサ７３と、この水位センサ７３からの情報を入力しその変動値の平均値を演算すると共にその平均水位が予め設定した最適値の許容範囲を越えて低下した場合に水補給信号を出力する開閉コントローラ７４と、この開閉コントローラ７４からの水補給信号を入力した場合に作動して前述した補給用配管７２を開通させる制御バルブ７５とを備えた構成となっている。
ここで、前述した補給用配管７２の水補給口７２ａは、本実施形態では前述した貯水部６３内に配設されている。又、符号７６は補給用配管７２用の主バルブを示す。この主バルブ７６は、装置全体の始動時に開口され、装置の稼働中は常時開口された状態となっている。
【００９６】
このため、本実施形態では、水槽２内の水が不足すると、直ちに水位センサ７３がこれを検出し、開閉コントローラ７４が作動して制御バルブ７５に水補給信号を発して補給用配管７２を開通させ、貯水タンク７１から水槽２内へ水を補給する。これにより、水槽２内では噴霧塗料の回収に必要な水量が常時保持されることとなる。符号７２Ａは貯水タンク７１内に装備された補給水噴出管を示す。
【００９７】
一方、塗装作業が終了して装置全体の電源をオフとすると、前述したように吸排気機構１の作動が停止して水槽２内が負圧状態でなくなると、直ちに負圧式の排水扉５０が開口され水槽２内の水は前述したように塗装ミストと共に外部へ排出される。
そして、次に、塗装作業の再開に際して装置全体の電源をオンとすると、吸排気機構１が作動してブース本体１０内を負圧状態に設定すると、直ちに負圧式の排水扉５０が作動し、扉本体５１が圧縮ばね５３に抗して吸引され、排水口２Ｋが閉じられる。同時に、水補給システムの水位センサ７３が作動し、同時に開閉コントローラ７４が作動し、続いて、制御バルブ７５が作動して補給用配管７２を開通させ、貯水タンク７１から水槽２内へ水が補給され、これによって、装置全体は塗装作業が可能な状態に設定される。
ここで、上述した貯水タンク７１による水の補給に代えて水道水を使用するようにし、これによって貯水タンク７１を省略してもよい。
【００９８】
〔水循環／水補給システムの他の例〕
図１２にこれを示す。この図１２に示す水循環システムでは、水槽２内の水位の変化に伴う自然対流を利用したものであって、装置全体が作動し外気吸入口３から外気と共に水槽２内の水が前述した渦巻室側に吸引されると、外気吸入口３の外側の水位が極端に低くなり、この結果、水槽２内の排水扉５０側の水が凹状ガイド板５の下側の隙間から外気吸入口３側へ押し出され（図１２中、符号ｆ参照）、その後はブース本体１０内で回収された水が水槽２内へ順次戻されることから、以後はこの水循環サイクルが繰り返される。
【００９９】
ここで、凹状ガイド板５の下端部先端５Ｂ部分の裏側（水槽２の内部底面側）には、その複数箇所に、当該凹状ガイド板５の下端部先端５Ｂ部分と水槽２の内部底面との間に適当な隙間（通水可能な隙間）を設定するためのスペーサ５Ｂａが設けられている。
これにより、凹状ガイド板５の下端部先端５Ｂと水槽２の内部底面との間の通水可能な隙間が常時維持されている。このため、外気吸入口３から吸引される水は、凹状ガイド板５の背面側（排水扉側）から外気吸入口３側に押し出されて有効に補給されるようになっている。この図１２において、記号ａ，ｂは外気吸入口３から吸入される外気および水槽２内の水の吸入方向を示し、記号ｅは水槽２内にて側壁を伝わって回収される水を示し、記号ｆは上述したように凹状ガイド板５の背面側から下側の隙間を通って外気吸入口３側へ押し出される水の方向を示す。
この図１２に示す手法では、前述した図１に開示した水循環システムとほぼ同等の機能を有するばかりでなく、循環用配管部６２や貯水タンク７１等が不要となり、構成が単純化され、大幅な設備投資を抑制することができるという利点がある。
【０１００】
又、この図１２に示す水補給システム８０は、前述した図１における水補給システム７０において、補給用配管７２に切り換えバルブ８１を追加装備し、更に二つの補給水噴出管８１Ａ，８１Ｂを設けると共に、一方の補給水噴出管８１Ａを前述した外気吸入口３の外側の水槽４２内に、他方の補給水噴出管８１Ｂを前述した外気吸入口３の外側の塗装作業用水槽部４２内に装備した点に特徴を備えている。その他の構成は前述した図２における水補給システム７０と同一となっている。
【０１０１】
このようにしても前述した図１における水補給システム７０と同等の機能を有するほか、必要に応じて切り換えバルブ８１を切り換え操作することにより、塗装作業用水槽部４２内に補給水を送り込んで当該箇所の塗料ミストの堆積を排除することができるという利点がある。
【０１０２】
〔全体的な動作等〕
装置全体が稼働状態に設定され前述した吸排気機構１が作動すると、ブース本体１０内の空気が連続的に上方へ吸い上げられ、ブース本体１０内に負圧が生じる。この負圧により、下方に位置する水槽内の水が外気と共に外気吸入口３から渦巻室７内へ吸い込まれ、同時に塗装領域Ｓに噴射された不要の噴霧塗料も外気と一緒に渦巻室７内へ吸い込まれる（図６参照）。
【０１０３】
ここで、外気吸入口３部分では、渦巻室７の一部をなす水滴形成板４が機能し、吸入される水槽２内の水が下端部の凹凸部４Ｔによって一部粉砕され水滴化される。この水滴化された水を含んで当該水槽２内の水と外気とは、吸入先にある凹状ガイド板５に案内されて斜め上方へ送り出される（図６内、矢印ａ，ｂ，ｃ参照）。この間、噴霧塗料の一部は水滴に付着する。
【０１０４】
この斜め上方へ送り出された水と外気とは凹状ガイド板５の上方でその一部（特に水滴部分）が噴霧塗料ｍと共にブース本体１０内へ吸い上げられる（図６内、矢印ｄ参照）。同時に重い水滴部分（水滴に成りきれない水塊状態のもの）は、大量の外気および噴霧塗料と共にその移動の直進性より上方の仕切り板６に向かう。この仕切り板６に向かった外気および重い水滴部分は外気と共に仕切り板６に衝突して下方へ向けられる。
【０１０５】
このため、重い水滴部分は前述した水滴形成板４に沿って下降しその凹凸部４Ｔから外気吸入口３部分へ滴下する。この場合、外気吸入口３部分では、後続の噴霧塗料ｍと外気とが連続して吸い込まれてくることから、滴下した水滴は、外気吸入口３の凹凸部分４Ｔで噴霧塗料ｍと外気と一体となって再び凹状ガイド板５に向かって加速され、以後、前述した状態（渦巻き状態）が繰り返され、この間、水滴の微細化と当該水滴への噴霧塗料ｍの付着が有効になされる。この場合、各凹凸部４Ｔでは、凸部が交互に一方と他方に曲折されているため、この部分での乱流の発生が多くなり同時に負圧の激しい繰り返し変動が生じることから、水滴の水滴化が一気に進行する。そして、微細化された水滴は噴霧塗料ｍと共に上方開口部７Ａから上方へ向かって連続的に移送される。
【０１０６】
又、この上方開口部７Ａから上方へ連続的に移動する水滴については、上方開口部７Ａの一部を構成する仕切り板６の先端部の凹凸部６Ｔに激突し、又凹状ガイド板５の上方端部の山形状の凹凸部５Ｔに激突しながら上方へ吸引される。この場合、各凹凸部５Ｔ，凹凸部６Ｔでは、凸部が交互に一方と他方に曲折されているため、この部分での乱流の発生が多くなり同時に負圧の激しい繰り返し変動が生じることから、水滴の水滴化が一気に進行する。そのため、上方へ吸引されて同時に移動する噴霧塗料は、この渦巻室７を出た領域で生じる水滴の大量発生と共に、負圧の激しい繰り返し変動の中で大量の水滴と共に攪拌されるため当該水滴に大量に付着する。
【０１０７】
そして、前述した渦巻室７及び上方開口部７Ａで噴霧塗料ｍが付着された水滴は、上方に装備された塗料ミスト回収機構８の各斜面状仕切り板１１，１２に順次激突して再び塗料ミストを含んだ水滴として大きく成長し、その後、側壁を伝わって下方の水槽２内に回収される。以下、かかる動作が繰り返し行われ、噴霧塗料ｍがかなりの割合で水槽２内に有効に回収されることとなる。
【０１０８】
一方、上記塗料ミストの回収動作中、外気吸入口３からは大量の水が連続的に吸入されるため、当該箇所の水槽２部分では周囲の水位が極端に低くなる。この結果、水槽２の排水扉側の水位が高くなることから、この部分の水が水位差のよる水の移動によって外気吸入口３側へ押し出される。ここで、上記実施形態では前述したように回収した水の再利用をも含めて前述した水循環システム６０が有効に機能し、かかる水の移動を前述したように水槽２内で円滑に行わせしめ、これによって外気吸入口３部分における水の欠乏という事態の発生が有効に回避されている。
【０１０９】
ここで、上記実施形態では、塗料ミストおよび使用される水の全てを回収し得ないことから、経時的には水槽２内の水は少なくなる。かかる事態が発生すると本実施形態では前述したように直ちに水補給システム７０（又は８０）が作動し、水槽２内に適度の水量が補給され、これによって前述した水循環システムが有効に機能するようになっている。
【０１１０】
そして、塗装作業の作業予定が終了して装置全体の稼働が停止されると、まず、吸排気機構１が作動停止と共にブース本体１０内の負圧状態が解除され外気及び水の吸引動作が停止する。同時に前述した排水扉５０の圧縮ばね５３が機能して扉本体５１を排水口２Ｋから解放する。これにより、水槽２の内底面が排水口２Ｋに向けて傾斜面となっているので、水槽２内の水は回収された塗装ミストと共に水槽２外へ排出される。
【０１１１】
又、装置全体の稼働の停止後、水槽２内に付着し又は堆積した塗装ミストの排除に際しては、回動駆動機構３０のレバー機構３３を操作する。これにより、連動機構３１を介して水滴形成板４が本実施形態では約９０°の範囲で回動し、これに連動して凹状ガイド板５が５０°の範囲で回動する。この結果、前述した外気吸入口３部分が大きく口を開いた状態となるので、ブース本体１０の前面側（塗装作業領域側）から水を噴射することにより、渦巻室７及び水槽２内に堆積し又は付着した塗装ミストは極く容易に洗い流すことができ、これによってブース本体１０内の容積を常に最大限有効に活用させることが可能となり、塗装ミストが水槽２内に堆積し又は付着して循環する水の量の減少及びそれに伴う塗装ミストの回収能力の低下（循環する水量が少ないと水滴の発生も少なくなるので）という不都合を予め排除し、循環する水量を常時充分確保することができるという利点がある。
【０１１２】
〔渦巻室７のその他の例（１）〕
ここで、前述した渦巻室７の各構成部材が備えている凹凸部に関して、その他の例（１）を、図１５乃至図１６に基づいて説明する。
図１５において、渦巻室１０７の構成部材である水滴形成板１０４，凹状ガイド板１０５および仕切り板１０６には、前述した図１〜図２の場合と同じ箇所に凹凸部１０４Ｔ，１０５Ｔ，１０６Ｔがそれぞれ設けられている。そして、この各凹凸部１０４Ｔ，１０５Ｔ，１０６Ｔを構成する各凸部１０４ｔ，１０５ｔ，１０６ｔは、それぞれ一つ置きに、吸入外気の流れの下流側に向けて曲折されている。
【０１１３】
図１６に、前述した水滴形成板１０４の場合を示す。
この図１６において、水滴形成板１０４には、その下端部の端縁に、一方の端から他方の端に向けて山形状の凹凸部１０４Ｔが設けられている。そして、この山形状の各凸部１０４ｔは、一つ置きに吸入外気の流れの下流側に向けて曲折角度ｒ＝約６０°で曲折されている。尚、この曲折角度ｒについては、０°を越えて９０°以内であれば特に６０°でなくてもよい。その他の構成は前述した図１〜図２の場合と同一となっている。
このようにしても、前述した図１〜図２における水滴形成板４の場合とほぼ同等に機能する水滴形成板を得ることができる。
【０１１４】
又、凹状ガイド板１０５にも、前述した図１５における上端部の端縁に、上述した水滴形成板１０４の凹凸部１０４Ｔの場合と同様に、一方の端から他方の端に向けて山形状の凹凸部１０５Ｔが設けられている。そして、その凹凸部１０５Ｔを構成する各凸部１０５ｔも、上述した水滴形成板１０４の凸部１０４ｔと同様の形態をもって曲折された構成となっている。
【０１１５】
更に、仕切り板１０６についても、前述した図１５における突出端部（右端部）に、上述した水滴形成板１０４の凹凸部１０４Ｔの場合と同様に、一方の端から他方の端に向けて山形状の凹凸部１０６Ｔが設けられている。そして、その凹凸部１０６Ｔを構成する各凸部１０６ｔも、上述した水滴形成板１０４の凸部１０４ｔと同様の形態をもって曲折された構成となっている。
このようにしても、前述した図１〜図２における凹凸部１０５Ｔ及び仕切り板１０６の場合とほぼ同等に機能する凹凸部１０５Ｔ及び仕切り板１０６を得ることができる。
ここで、各凸部１０４ｔ，１０５ｔ，１０６ｔについては、一つ置きに曲折した場合を例示したが、二つ置きでも、或いは不規則に選択して曲折したものであってもよい。
【０１１６】
〔渦巻室７のその他の例（２）〕
次に、前述した渦巻室７の各構成部材が備えている凹凸部に関して、その他の例（２）を、図１７乃至図１８に基づいて説明する。
【０１１７】
図１７において、渦巻室１１７の構成部材である水滴形成板１１４には、前述した図１〜図２の場合と同じ箇所に山形状の凹凸部１１４Ｔが設けられている。又、この各凹凸部１１４Ｔと同等に形成された第２の凹凸部１２４Ｔを備えた凹凸部付プレート１２４が、前述した水滴形成板１１４の凹凸部１１４Ｔに併設されている（詳細、図１８参照）。ここで、凹凸部付プレート１２４はスポット溶接によって前述した水滴形成板１１４に固着されているが、ネジ止めであっても一部を溶接により固着したものであってもよい。図１８（Ａ）において、Ｘ印はスポット溶接箇所を示す。
【０１１８】
この場合、図１７の実施形態では、凹凸部付プレート１２４は、当該第２の凹凸部１２４Ｔの各凸部１２４ｔが前述した水滴形成板１１４の凹凸部１１４Ｔの各凸部１１４ｔの相互間に位置するように配置されている（図１８（Ａ）参照）。
そして、この各凹凸部１１４Ｔ，１２４Ｔの内、吸入外気の流れの下流側に位置する凹凸部（図１７では凹凸部付プレート１２４の凹凸部１２４Ｔ）が、当該吸入外気の流れの下流側に向けて一様に曲折されている。そして、この場合の曲折角度ｒは本実施形態では６０°に設定されているが、６０°以外の他の角度であってもよい。
その他の構成は前述した図１〜図２の場合と同一となっている。
【０１１９】
このようにすると、外気吸入口１１３部分における凸部の数が前述した図１乃至図２の場合に比較して倍増するので、吸入外気の乱流が激しくなり、同時に大きい水滴の落下位置が倍増して分散されることから、水滴の微細化をより一層効果的に成し得るという利点があり、外気と共に吸入する噴霧塗料を水滴がより有効に捕捉することができることとなる。
ここで、前述した各凹凸部１１４Ｔ，１２４Ｔの内、吸入外気の流れの上流側に位置する凹凸部（図１７では水滴形成板１１４の凹凸部１１４Ｔ）を、当該吸入外気の流れの上流側に向けて一様に曲折してもよい（図示せず）。
このようにすると、水滴形成板１１４部分では、上述した図１７の場合と同等若しくはそれ以上に水の水滴化を高めることが可能となり、噴霧塗料の捕捉にはより有効な環境状態を設定することができる。
【０１２０】
前述した凹状ガイド板１１５にも、図１７における上端部の端縁に、前述した水滴形成板１１４の凹凸部１１４Ｔの場合と同様に、一方の端から他方の端に向けて山形状の凹凸部１１５Ｔが設けられている。又、この各凹凸部１１５Ｔと同等に形成された第２の凹凸部１２５Ｔを備えた凹凸部付プレート１２５が、前述した凹状ガイド板１１５の凹凸部１１５Ｔに併設されている（図１７参照）。ここで、凹凸部付プレート１２５は上述した水滴形成板１１４の場合と同様にスポット溶接によって凹状ガイド板１１５に固着されているが、ネジ止めであっても一部を溶接により固着したものであってもよい。
【０１２１】
この場合、図１７の実施形態では、凹凸部付プレート１２５は、（前述した水滴形成板１１４の場合と同様に）当該第２の凹凸部１２５Ｔの各凸部１２５ｔが前述した凹状ガイド板１１５の凹凸部１１５Ｔの各凸部１１５ｔの相互間に位置するように配置されている（図示せず）。そして、この各凹凸部１１５Ｔ，１２５Ｔの内、吸入外気の流れの下流側に位置する凹凸部（図１７では凹状ガイド板１１５の凹凸部１１５Ｔ）が、当該吸入外気の流れの下流側に向けて一様に曲折されている。そして、この場合の曲折角度ｒは本実施形態では６０°に設定されているが、６０°以外の他の角度であってもよい。
ここで、前述した各凹凸部１１５Ｔ，１２５Ｔの内、吸入外気の流れの上流側に位置する凹凸部（図１７では凹凸部付プレート１２５の凹凸部１２５Ｔ）を、当該吸入外気の流れの上流側に向けて一様に曲折してもよい（図示せず）。
その他の構成は前述した図１〜図２の場合と同一となっている。
【０１２２】
更に、仕切り板１１６にも、前述した図１〜図２の場合と同じ箇所に山形状の凹凸部１１６Ｔが設けられている。又、この各凹凸部１１６Ｔと同等に形成された第２の凹凸部１２６Ｔを備えた凹凸部付プレート１２６が、前述した仕切り板１１６の凹凸部１１６Ｔに併設されている（図１７参照）。ここで、凹凸部付プレート１２６は上述した水滴形成板１１４の場合と同様にスポット溶接によって凹状ガイド板１１６に固着されているが、ネジ止めであっても一部を溶接により固着したものであってもよい。
【０１２３】
この場合、図１７の実施形態では、凹凸部付プレート１２６は、（前述した水滴形成板１１４の場合と同様に）当該第２の凹凸部１２６Ｔの各凸部１２６ｔが前述した仕切り板１１６の凹凸部１１６Ｔの各凸部１１６ｔの相互間に位置するように配置されている（図示せず）。
そして、この各凹凸部１１６Ｔ，１２６Ｔの内、吸入外気の流れの下流側に位置する凹凸部（図１７では凹凸部付プレート１２６の凹凸部１１６Ｔ）が、当該吸入外気の流れの下流側に向けて一様に曲折されている。そして、この場合の曲折角度ｒは本実施形態では６０°に設定されているが、６０°以外の他の角度であってもよい。
ここで、前述した各凹凸部１１６Ｔ，１２６Ｔの内、吸入外気の流れの上流側に位置する凹凸部（図１７では仕切り板１１６の凹凸部１２６Ｔ）を、当該吸入外気の流れの上流側に向けて一様に曲折してもよい（図示せず）。
その他の構成は前述した図１〜図２の場合と同一となっている。
【０１２４】
このようにすると、凹状ガイド板１１５および仕切り板１１６の下流側（渦巻室１１７から外気が送り出された直後）の領域で、前述した図１〜図２の場合と同等若しくはそれ以上に水の水滴化を高めることが可能となり、渦巻室１１７を通過した後の領域であっても、噴霧塗料の捕捉にはより有効な環境状態を設定することができる。
【０１２５】
尚、上記実施形態において開示した各凹凸部の各凸部については、山形状で且つ先端が尖った二等辺三角形状の場合を例示的に開示したが、本発明では各凹凸部の各凸部をこの三角形状のものに限定するものではなく、例えば四角形状であっても、半円形状であってもよい。
【図面の簡単な説明】
【０１２６】
【図１】本発明の最良の実施形態を示す一部断面した側面図である。
【図２】図１における渦巻室部分を示す一部拡大した概略斜視図である。
【図３】図１に開示した実施形態の左方向から見た概略正面図である。
【図４】図３の一部断面した平面図である。
【図５】図３の水槽部分を一部切欠いて水滴形成板部分を露出した状態を示す説明図である。
【図６】図２における渦巻室部分の構成および動作を示す説明図である。
【図７】図６における水滴形成板の具体例を示す図で、図７（Ａ）は当該水滴形成板の詳細説明図、図７（Ｂ）は図７（Ａ）の右側面図、図７（Ｃ）は図７（Ａ）の矢印Ｃ１の方向からみた部分正面図である。
【図８】図６における凹状ガイド板の具体例を示す図で、図８（Ａ）は当該凹状ガイド板の詳細説明図、図８（Ｂ）は図８（Ａ）の一部を示す部分右側面図である。
【図９】図６における仕切り板の具体例を示す図で、図９（Ａ）は当該仕切り板を示すの断面図、図９（Ｂ）は図９（Ａ）の一部を示す部分平面図、図９（Ｃ）は図９（Ａ）の矢印Ｃ３方向からみた部分正面図である。
【図１０】図１及び図３中に開示した回動駆動機構部分を示す説明図である。
【図１１】図１に開示したブース本体に併設される水循環システムおよび水補給システムの一例を示す概略構成図である。
【図１２】図１１に開示した水循環システムおよび水補給システムの他の例を示す概略構成図である。
【図１３】図２中に開示した渦巻室部分の他の例を示す概略構成図である。
【図１４】図１３中に開示した水滴形成板部分を示す図で、図１４（Ａ）は部分正面図、図１４（Ｂ）は図１４（Ａ）の右側面図である。
【図１５】図２中に開示した渦巻室のその他の例（１）を示す説明図である。
【図１６】図１５中に開示した水滴形成板部分を示す図で、図１５（Ａ）は部分正面図、図１５（Ｂ）は図１５（Ａ）の右側面図である。
【図１７】図２中に開示した渦巻室のその他の例（２）を示す説明図である。
【図１８】図１７中に開示した水滴形成板部分を示す図で、図１８（Ａ）は部分正面図、図１８（Ｂ）は図１８（Ａ）の右側面図である。
【図１９】従来例を示す説明図である。
【符号の説明】
【０１２７】
１  吸排気機構
２  水槽
２Ｋ  排水口
３  外気吸入口
４，９４，１０４，１１４  水滴形成板
４Ｔ，９４Ｔ，１０４Ｔ，１１４Ｔ，１２４Ｔ  凹凸部
５，９５，１０５，１１５  凹状ガイド板
５Ｔ，９５Ｔ，１０５Ｔ，１１５Ｔ，１２５Ｔ  凹凸部
６，９６，１０６，１１６  仕切り板
６Ｔ，９６Ｔ，１０６Ｔ，１１６Ｔ，１２６Ｔ  凹凸部
７，９７，１０７，１１７  渦巻室
８  塗料ミスト回収機構
１０  ブース本体
１０Ａ  前面板
１０Ｂ，１０Ｃ  側面板
１５，１７  支持軸
３０  回動駆動機構
３１  連動機構
３３  駆動手段としてのレバー機構
３５  レバー保持機構
４１  水槽本体部
４１Ｆ  水槽本体部の内側底面
４２  塗装作業用水槽部
５０  排水扉
９４Ａ，９５Ａ，９６Ａ  固定プレート
９４Ｂ，９５Ｂ，９６Ｂ  スライドプレート
９４Ｃ，９５Ｃ，９６Ｃ  スライド機構
Ｆ  作業場内の床面
Ｓ  塗装領域
【図１】
0004629360.tif 000002
【図２】
0004629360.tif 000003
【図３】
0004629360.tif 000004
【図４】
0004629360.tif 000005
【図５】
0004629360.tif 000006
【図６】
0004629360.tif 000007
【図７】
0004629360.tif 000008
【図８】
0004629360.tif 000009
【図９】
0004629360.tif 000010
【図１０】
0004629360.tif 000011
【図１１】
0004629360.tif 000012
【図１２】
0004629360.tif 000013
【図１３】
0004629360.tif 000014
【図１４】
0004629360.tif 000015
【図１５】
0004629360.tif 000016
【図１６】
0004629360.tif 000017
【図１７】
0004629360.tif 000018
【図１８】
0004629360.tif 000019
【図１９】
0004629360.tif 000020